(57)【要約】【課題】  空気清浄機の浄化作用が一目で確認できる空気清浄機の制御装置を得ること。【解決手段】  ニオイセンサ５の出力からニオイランク判定手段１１がニオイの汚れ度合いのランク付けを判定し、煙センサの出力から煙ランク判定手段１２が煙の汚れ度合いのランク付けを判定し、花粉センサの出力から花粉ランク判定手段１３花粉の汚れ度合いのランク付けを判定し、ニオイランク判定手段、煙ランク判定手段及び花粉ランク判定手段により判定されたニオイ、煙及び花粉のランク付けをそれぞれランク記憶手段１４，１５、１６が計時手段１７が設定した時間間隔の間で所定数記憶し、ランク記憶手段が記憶したニオイ、煙、花粉のランク付けを表示手段３が各々経時的に所定間隔で最新のランクから過去のランクまで所定数さかのぼって表示するように構成したものである。【選択図】    図１
2005238063.tif 000002
【特許請求の範囲】
【請求項１】
雰囲気中のニオイ成分の濃度を検出するニオイセンサ、雰囲気中の粒子径が小さい塵である煙を検出する煙センサ及び雰囲気中の粒子径が大きい塵である花粉を検出する花粉センサの少なくとも１つ以上のセンサと、
前記センサの出力に基づいて検出対象の汚れ度合いのランク付けを判定するランク判定手段と、
前記ランク判定手段により判定されたランク付けを計時手段が設定した時間間隔の間で所定数記憶するランク記憶手段と、
前記ランク記憶手段が記憶したランク付けを経時的に所定間隔で最新のランクから過去のランクまで所定数さかのぼって表示するランク表示手段と、
を備えたことを特徴とする空気清浄機の制御装置。
【請求項２】
雰囲気中のニオイ成分の濃度を検出するニオイセンサと、
雰囲気中の粒子径が小さい塵である煙を検出する煙センサと、
雰囲気中の粒子径が大きい塵である花粉を検出する花粉センサと、
前記ニオイセンサの出力からニオイの汚れ度合いのランク付けを判定するニオイランク判定手段と、
前記煙センサの出力から煙の汚れ度合いのランク付けを判定する煙ランク判定手段と、
前記花粉センサの出力から花粉の汚れ度合いのランク付けを判定する花粉ランク判定手段と、
前記ニオイランク判定手段により判定されたニオイのランク付け、前記煙ランク判定手段により判定された煙のランク付け及び前記花粉ランク判定手段により判定された花粉のランク付けをそれぞれ計時手段が設定した時間間隔の間で所定数記憶するランク記憶手段と、
前記ランク記憶手段が記憶したニオイ、煙、花粉のランク付けを各々経時的に所定間隔で最新のランクから過去のランクまで所定数さかのぼって表示するランク表示手段と、
を備えたことを特徴とする空気清浄機の制御装置。
【請求項３】
前記計時手段が設定した時間間隔を適宜に変更することができる表示切換スイッチを備えたことを特徴とする請求項１又は２のいずれかに記載の空気清浄機の制御装置。
【請求項４】
前記ランク表示手段はニオイ、煙及び花粉の少なくとも１つのランク付けにおける最新のものから過去のものについてそれぞれ表示する最新ランク表示部と複数の過去ランク表示部を有し、各最新ランク表示部はそれ以外の過去ランク表示部より大きく形成されていることを特徴とする請求項１又は２記載の空気清浄機の制御装置。
【請求項５】
前記ニオイランク判定手段、前記煙ランク判定手段及び前記花粉ランク判定手段がそれぞれ判定したニオイ、煙、花粉のランク付けに基づいて送風機の送風量を決定する送風量決定手段を備えたことを特徴とする請求項１〜４のいずれかに記載の空気清浄機の制御装置。
【発明の詳細な説明】
【技術分野】
【０００１】
本発明は、雰囲気の汚れに応じて空気清浄機の送風量を自動的に調節し、適切な制御をを行う空気清浄機の制御装置に関するものである
【背景技術】
【０００２】
従来の空気清浄機の制御装置は、ダストセンサが煙（小径塵）検出時の出力レベルによりランク付けを行う煙ランク判定手段により決定された煙ランクに対応した表示を煙表示手段が行い、ダストセンサが花粉・ほこり（大径塵）検出時の出力レベルによりランク付けを行う花粉・ほこりランク判定手段により決定された花粉・ほこりランクに対応した表示を花粉・ほこり表示手段が行うようにしたものである、各ランク判定手段で判断した現在のランクのみを各表示手段でそれぞれ表示するのみで、過去のランクを記憶しているものではなかった（例えば特許文献１参照。）。
【０００３】
【特許文献１】特開２００２−８５９２９号公報（第１頁、図１）
【発明の開示】
【発明が解決しようとする課題】
【０００４】
従来の空気清浄機の制御装置は、各ランク判定手段で判断した現在のランクを各表示部でそれぞれ表示している。従って過去のランクは記憶、表示されていない。
そのため、雰囲気の汚れの状態がどのように変化したのかが確認できず、また空気清浄機の能力が正常に出て、それから空気が浄化されているのかが確認できなかった。
【０００５】
本発明は、上述のような課題を解決するためになされたもので、空気清浄機の浄化作用が一目で確認できる空気清浄機の制御装置を提供することを目的とするものである。
【課題を解決するための手段】
【０００６】
本発明に係る空気清浄機の制御装置は、雰囲気中のニオイ成分の濃度を検出するニオイセンサ、雰囲気中の粒子径が小さい塵である煙を検出する煙センサ及び雰囲気中の粒子径が大きい塵である花粉を検出する花粉センサの少なくとも１つ以上のセンサと、前記センサの出力に基づいて検出対象の汚れ度合いのランク付けを判定するランク判定手段と、前記ランク判定手段により判定されたランク付けを計時手段が設定した時間間隔の間で所定数記憶するランク記憶手段と、前記ランク記憶手段が記憶したランク付けを経時的に所定間隔で最新のランクから過去のランクまで所定数さかのぼって表示するランク表示手段とを備えたことを特徴としている。
【発明の効果】
【０００７】
本発明よる空気清浄機の制御装置は、雰囲気中のニオイ成分の濃度を検出するニオイセンサ、雰囲気中の粒子径が小さい塵である煙を検出する煙センサ及び雰囲気中の粒子径が大きい塵である花粉を検出する花粉センサの少なくとも１つ以上のセンサの出力に基づいてランク判定手段が検出対象の汚れ度合いのランク付けを判定し、判定されたランク付けを計時手段が設定した時間間隔の間でランク記憶手段が所定数記憶し、該ランク記憶手段が記憶したランク付けをランク表示手段が経時的に所定間隔で最新のランクから過去のランクまで所定数さかのぼって表示するようにしたので、空気清浄機の浄化作用が現在から所定の過去まで一目で確認でき、使い勝手が向上するという効果がある。
【発明を実施するための最良の形態】
【０００８】
実施の形態１．
図１は本発明の実施の形態１の空気清浄機の制御装置のブロック図、図２は同空気清浄機の制御装置の動作を示すフローチャートであるである。
本発明の実施の形態１の空気清浄機の制御装置は、ニオイやダストを検出するセンサ手段１と、センサ手段１が検出した検出信号に基づいてニオイやダストの判定や判定結果の記憶と風量の決定などの制御を行う制御手段２と、制御手段２が判定したニオイやダストの判定結果を表示する表示手段３とから大略構成されている。
【０００９】
センサ手段１は、ニオイセンサ５とダストセンサ６とから構成されている。
ニオイセンサ５は雰囲気中のニオイ成分の元となるガスの濃度に応じた信号を発生する。
また、ダストセンサ６は内部に取り込んだ空気に光源の光を照射し、空気中の塵の粒子が照射領域を通過する際に、粒子のサイズに対応したレベルの散乱光パルスを発生させ、その散乱光パルスのレベルとセンサ外部より入力したしきい値発生手段７のしきい値レベルと比較し、しきい値を超える場合に検出パルスを発生する。このしきい値発生手段７は制御手段２に設けられたしきい値切換手段８の信号により所定のしきい値レベルをダストセンサ６に出力する。
【００１０】
本実施の形態１では、しきい値発生手段７が出力するしきい値レベルは粒子径約０．５μｍ以上の煙等の粒子を検出するレベル（煙検出レベル）と粒子径約３μｍ以上の花粉等の粒子を検出するレベル（花粉検出レベル）を出力できるように設定してある。
また、しきい値切換手段８は所定間隔でしきい値発生手段７にしきい値レベルを切換える信号を出力する。これによりしきい値発生手段７は煙検出レベルと花粉検出レベルを所定間隔で切換えダストセンサ６に出力する。
【００１１】
ダストセンサ６は入力されているしきい値レベルが煙検出レベルの場合、粒子径が０．５μｍ以上の粒子がダストセンサ内の照射領域を通過すると検出パルスを発生する。また、しきい値レベルが花粉検出レベルの場合、粒子径が３μｍ以上の粒子がダストセンサ内の照射領域を通過すると検出パルスを発生する。
従って、ダストセンサ６はしきい値発生手段７が出力するしきい値レベルに応じて煙センサ又は花粉センサとして機能することとなる。
【００１２】
制御手段２は、しきい値切換手段８の他に、ニオイランク判定手段１１と、煙ランク判定手段１２と、花粉ランク判定手段１３と、ニオイランク記憶手段１４と、煙ランク記憶手段１５と、花粉ランク記憶手段１６と、計時手段１７と、風量決定手段１８と、モータ駆動手段１９とを有して構成されている。
ニオイランク判定手段１１はニオイセンサ５の信号レベルから汚れ度合いのランク付けを行うものである。
【００１３】
煙ランク判定手段１２はしきい値切換手段８の信号により、しきい値レベルが煙検出レベルであるか花粉検出レベルであるかを判断し、煙検出レベルであれば動作してダストセンサ６の検出パルスから煙検出レベルから汚れ度合いのランク付けを行うものである。
花粉ランク判定手段１３も、しきい値切換手段８の信号により、しきい値レベルが煙検出レベルであるか花粉検出レベルであるかを判断し、花粉検出レベルであれば動作してダストセンサ６の検出パルスから花粉検出レベルから汚れ度合いのランク付けを行うものである。
【００１４】
ニオイランク記憶手段１４はニオイランク判定手段１１がランク付けしたニオイランクを計時手段１７の信号に同期して記憶するものである。
煙ランク記憶手段１５は煙ランク判定手段１２がランク付けした煙ランクを計時手段１７の信号に同期して記憶するものである。
花粉ランク記憶手段１６は花粉ランク判定手段１３がランク付けした花粉ランクを計時手段１７の信号に同期して記憶するものである。
このように計時手段１７は所定の時間間隔でランク記憶信号をニオイランク記憶手段１４、煙ランク記憶手段１５、花粉ランク記憶手段１６に出力するものである。
【００１５】
風量決定手段１８はニオイランク判定手段１１の出力と煙ランク判定手段１２の出力と花粉ランク判定手段１３の出力から最適な風量を決定するものである。  モータ駆動手段１９は風量決定手段１８が決定した風量に対応した送風ファン用モータ２０の駆動信号を発生するものである。運転スイッチ２１は空気清浄機の運転をオン・オフするためのもので、オン・オフ信号は風量決定手段１９に入力される。なお、送風ファン用モータ２０にファンが取り付けられて送風機が構成される。
ニオイランク表示手段２２はニオイランク記憶手段１４に記憶されたランクを表示し、煙ランク表示手段２３は煙ランク記憶手段１５に記憶された煙ランクを表示し、花粉ランク表示手段２４は花粉ランク記憶手段１６に記憶された花粉ランクを表示するものである。
【００１６】
本発明の実施の形態１の空気清浄機の制御装置の動作を図２のフローチャートに基づいて詳細に説明する。
空気清浄機に電源が供給されると制御手段２が動作して処理がスタートする。
まず、ステップＳ１で初期設定としてダストセンサ６のしきい値に煙検出レベルをセットする。次に、ステップ２でニオイセンサ１の信号からニオイランク判定手段１１でニオイランクが決定される。
図４はニオイランク判定手段１１でランク付け判定する電圧変化量とニオイランクの関係を示す図で、電圧変化量である電圧値が高いほどニオイランクが高くなる。
【００１７】
次に、ステップＳ３で煙ランク判定手段１２と花粉ランク判定手段１３はしきい値切換手段８の信号により、しきい値レベルが煙検出レベルか花粉検出レベルかの判断を行い、煙検出レベルであれば煙ランク判定手段１２が動作し、花粉検出レベルであれば花粉ランク判定手段が１３が動作するが、本実施の形態１では初期は煙測定から開始するように設定されているので、ステップＳ４に進む。
ステップＳ４では煙ランク判定手段１２がダストセンサ６の発生した煙パルスを検出しカウントを行う。
【００１８】
ステップＳ５では煙ランク判定手段１２が煙検出の時間を測定し、時間が３秒経過するとステップＳ６に進む。本実施の形態１では、しきい値切換手段８によって煙検出と花粉検出の時間を図３に示すように３秒、５秒という時間間隔に設定してある。
ステップ６では煙ランク判定手段１２がステップ４でカウントしていた煙パルスのカウント値によって煙ランクを決定する。
図５は煙ランク判定手段１２でランク付け判定する煙検出パルス数と煙ランクの関係を示す図で、煙検出パルス数が多いほど煙ランクが高くなる。
【００１９】
かかる煙ランク判定手段１２による煙ランクの決定後のステップ７では、しきい値切換手段８の信号によってダストセンサ５のしきい値に花粉検出レベルをセットする。ここで、しきい値に花粉レベルをセットすることで、次にステップＳ３の初期設定以外の状態に戻ってステップＳ８に進むことになる。ステップＳ８では、花粉ランク判定手段１３がダストセンサ６の発生した花粉パルスを検出しカウントを行う。
【００２０】
ステップＳ９では花粉ランク判定手段１３が花粉検出の時間を測定し、時間が５秒経過するとステップＳ１０に進む。
ステップ１０では花粉ランク判定手段１３がステップ８でカウントしていた花粉パルスのカウント値によって花粉ランクを決定する。
図６は花粉ランク判定手段１３でランク付け判定する花粉検出パルス数と花粉ランクの関係を示す図で、花粉検出パルス数が多いほど花粉ランクが高くなる。
かかる花粉ランク判定手段１３による花粉ランクの決定後のステップＳ１１で、再びしきい値切換手段８の信号によってダストセンサ５のしきい値に煙検出レベルがセットされる。
このように、煙検出の３秒の時間が経過すると、今度は花粉検出となり、花粉検出の５秒の時間が経過すると、再び煙検出に戻るということが繰り返し行われることとなる。
【００２１】
こうして煙ランク判定手段１２による煙ランクの決定後又は花粉ランク判定手段１３による花粉ランクの決定後はステップ１２に進む。
ステップ１２では計時手段１４がランク記憶時間を計時しており、記憶時間になると記憶開始指令信号をニオイランク記憶手段１４、煙ランク記憶手段１５及び花粉ランク記憶手段１６に送り、ステップ１３に進む。
ステップＳ１３では、ニオイランク記憶手段１４、煙ランク記憶手段１５及び花粉ランク記憶手段１６は計時手段１４の記憶開始指令信号に同期してニオイランク判定手段１１、煙ランク判定手段１２及び花粉ランク判定手段１３から転送されてきたニオイ、煙、花粉のランクをそれぞれ記憶する。
【００２２】
次に、ステップＳ１４に進み、ニオイランク記憶手段１４、煙ランク記憶手段１５及び花粉ランク記憶手段１６はニオイランク表示手段２２、煙ランク表示手段２３及び花粉ランク表示手段２４に記憶したニオイ、煙、花粉のランクをそれぞれ表示させる。
そして、これらの表示手段２２〜２４によるニオイ、煙、花粉のランクの表示は計時手段１４の記憶開始指令信号がこれら記憶手段１４〜１６に送られる度に更新される。
【００２３】
次のステップ１５では風量決定手段１８が運転スイッチ２１の状態を判定し、運転ＯＦＦ状態ではステップＳ１６に進み、モータ駆動手段１９にモータ駆動停止指令を出し、その指令を受けたモータ駆動手段１９は送風ファン用モータ２０を停止させる。
また、運転スイッチがＯＮ状態ではステップ１７に進み、風量決定手段１８が各ランク判定手段１１〜１３の判定したニオイ、煙、花粉の各ランクに応じて最適な送風量を決定し、その送風量を出させるモータ駆動指令を出力する。そして、ステップＳ１７に進み、風量決定手段１８からのモータ駆動指令を受けたモータ駆動手段１９は送風ファン用モータ２０が所定の送風量を出すように駆動させる。
【００２４】
ここで、風量決定手段１８が各ランク判定手段１１〜１３の判定したニオイ、煙、花粉の各ランクとからに総合的に最適な送風量を決定する場合について、図７に基づいて具体的に説明する。
図７は風量決定手段１８が各ランク判定手段１１、１２、１３の出力するランクから風量を決定するための対応表である。
ニオイと煙ランク又は花粉ランクのどちらか大きい方から送風用ファンモータ２０の風量を決定する。
例えば、ニオイランクが「２」で、煙ランクが「１」、花粉ランクが「３」の場合は、ニオイランク「２」と花粉ランク「３」を対応表から選び、送風用ファンモータ２０の風量は３．５ｍ3 /minに制御される。
【００２５】
次に、各ランク記憶手段と各ランク表示手段の動作について図８の煙ランク記憶手段と煙ランク表示手段の詳細な構成を示すブロック図に基づいて詳細に説明する。
各ランク記憶手段１４〜１６と各ランク表示手段２２〜２４の動作はニオイ、煙、花粉とも同じであるのでここでは煙ランクについて説明する。
煙ランク判定手段１２はダストセンサ６からの煙検出パルスから煙ランクを決定する。
【００２６】
煙ランク記憶手段１５は計時手段１７が所定時間毎に出力する記憶開始指令信号を受けると、その時の煙ランクを最新のランクレジスタ３０に取り込む。それと同時に元は最新のランクレジスタに保持されていた煙ランクは１回前のランクレジスタ３１に移動される。同様に、１回前のランクレジスタ３１に保持されていたデータは２回前のランクレジスタ３２に、２回前のランクレジスタ３２は３回前のランクレジスタ３３に、３回前のランクレジスタ３３は４回前のランクレジスタ３４に、４回前のランクレジスタ３４は５回前のランクレジスタ３５に移動される。そして、５回前のランクレジスタ３５の内容は消滅させられる。
【００２７】
従って、煙ランク記憶手段１５の最新のランクレジスタ３０〜５回前のランクレジスタ３５にそれぞれ保持されている煙ランクは、それに対応する煙ランク表示手段の２２の最新のランク表示部３６〜５回前のランク表示部４１にそれぞれ表示されており、煙ランク記憶手段１５の最新のランクレジスタ３０〜５回前のランクレジスタ３５に保持されている煙ランクの内容が上述のように更新されると、煙ランク表示手段の２２の最新のランク表示部３６〜５回前のランク表示部４１に表示されている煙ランクの内容も同様に更新されることとなる。
【００２８】
図９は空気清浄機の制御装置のランク表示手段の表示例を示す。各ランク表示手段２２〜２４の動作はニオイ、煙、花粉とも同じであるので、ここでは代表して煙ランク表示手段について説明する。
表示手段３の煙ランク表示手段２３には、最新ランク表示部３６、各１〜５回前のランク表示部３７〜４１がある。
煙ランクによってランクが１の時は一番下の表示が点灯し、ランクが２の時は１番下と下から２番目が点灯し、ランクが１つずつ上がる毎に、点灯の数が下から順に増えていく。従って、ランクが５で５つの表示が全て点灯することとなる。つまりランク１からランク５を５段階に表示する。
【００２９】
また、計時手段１７の記憶開始指令信号の出力間隔、即ち表示更新間隔を５分に設定してあるので、５分毎にさかのぼって過去２５分前のランクまで表示することができる。
さらに、表示手段３の煙ランク表示手段２３における最新ランク表示部３６と各１〜５回前のランク表示部３７〜４１のうち、最新ランク表示部３６は各１〜５回前のランク表示部３７〜４１より大きく形成されている。なお、ニオイランク表示手段２２及び花粉ランク表示手段２４の最新ランク表示部も煙ランク表示手段２３の最新ランク表示部と同様に他のランク表示部より大きく形成されている。
【００３０】
以上のように動作する本発明の実施の形態１に示す空気清浄機の制御装置によれば、ニオイセンサ５の信号からニオイランク判定手段１１でニオイランクが決定され、ダストセンサ６のしきい値レベルに応じて動作した煙ランク判定手段１２又は花粉ランク判定手段１３で煙ランク又は花粉ランクが決定され、決定されたニオイ、煙、花粉ランクを所定間隔でニオイランク記憶手段１４、煙ランク記憶手段１５、花粉ランク記憶手段１６が所定数記憶し、前記記憶手段が記憶したニオイ、煙、花粉ランクをニオイランク表示手段２２、煙ランク表示手段２３、花粉ランク表示手段２４が各々経時的に最新のランクから所定間隔で所定数さかのぼって表示するようにしたので、空気清浄機の浄化作用が現在から所定の過去まで一目で確認でき、使い勝手のよい空気清浄機を提供することができる。
【００３１】
また、ニオイランク表示手段２２、煙ランク表示手段２３及び花粉ランク表示手段２４の最新ランク表示部はそれぞれ他の表示部より大きくし形成しているので、見る機会の多い最新ランク表示部の視認性がよくなり、使い勝手がよいものとしている。
【００３２】
上記実施の形態１では、ダスト、煙、花粉の全てを表示する例を示しているがダスト、煙、花粉のいずれか１つ或いは２つを組合せたものを表示するものであっても、本発明を適用しえることはいうまでもない。
【００３３】
実施の形態２．
図１０は本発明の実施の形態２の空気清浄機の制御装置のブロック図、図１１は同空気清浄機の制御装置の動作を示すフローチャートである
図１０において、図１と同様の構成は同一符号を付して重複した構成の説明を省略し、異なる構成についてのみ説明する。また、図１１のフローチャートについても、図２と同様の動作は同一のステップ符号を付して重複した動作の説明を省略し、異なる動作についてのみ説明する。
本発明の実施の形態１では、計時手段１７の記憶開始指令信号の出力間隔、即ち表示更新間隔が５分に固定設定されているため、ニオイランク記憶手段１４、煙ランク記憶手段１５、花粉ランク記憶手段１６のランク取り込み間隔が固定としていたが、本実施の形態２は表示切換スイッチ２３を設けて計時手段１７の記憶開始指令信号の出力間隔を変更し、ランクの取り込み間隔を変更できるようにしたものである。
【００３４】
本発明の実施の形態２の空気清浄機の制御装置の動作を図１１のフローチャーに基づいて説明する。
ステップＳ１５で空気清浄機が運転状態にあると判断された場合、ステップＳ１７の風量決定、ステップＳ１８のモータＯＮと進むが、次のステップＳ１９において表示切換スイッチ２３が押されると、ステップ２０に進んで表示切換スイッチ２３によって計時手段１７の記憶開始指令信号の出力間隔の設定が変更され、ニオイランク記憶手段１４、煙ランク記憶手段１５、花粉ランク記憶手段１６のランク取り込み間隔が変更される。それと同時に、ニオイランク表示手段２２、煙ランク表示手段２３、花粉ランク表示手段２４の現在から過去の表示間隔も変更される。
即ち、ランク取り込み間隔が実施の形態１では５分の固定であったものが、表示切換スイッチ２３によって例えば７、８又は１０分というように変更することができる、表示間隔も変更できるようになった。
【００３５】
この実施の形態２では、表示切換スイッチ２３によって計時手段１７の記憶開始指令信号の出力間隔の設定を変更し、ニオイランク記憶手段１４、煙ランク記憶手段１５、花粉ランク記憶手段１６のランク取り込み間隔が変更されると共にニオイランク表示手段２２、煙ランク表示手段２３、花粉ランク表示手段２４の現在から過去の表示間隔も変更されようにしので、使用者の好みの時間で各ランクが記憶、表示され、さらに使い勝手の良い空気清浄機の制御装置を提供することができる。
【図面の簡単な説明】
【００３６】
【図１】本発明の実施の形態１の空気清浄機の制御装置のブロックである。
【図２】同空気清浄機の制御装置の動作を示すフローチャートである。
【図３】同空気清浄機の制御装置のダストセンサの入力されるしきい値信号のタイムチャートである。
【図４】同空気清浄機の制御装置における電圧変化量とニオイランクの関係を示す図である。
【図５】同空気清浄機の制御装置における煙検出パルス数と煙ランクの関係を示す図である。
【図６】同空気清浄機の制御装置の花粉検出パルス数と花粉ランクの関係を示す図である。
【図７】同空気清浄機の制御装置におけるニオイランクと煙ランク又は花粉ランクとの送風量の関係を示す図である。
【図８】同空気清浄機の制御装置の煙ランク記憶手段と煙ランク表示手段の詳細な構成を示すブロック図である。
【図９】同空気清浄機の制御装置のランク表示手段の表示例を示す説明図である。
【図１０】本発明の実施の形態２の空気清浄機の制御装置のブロック図である。
【図１１】同空気清浄機の制御装置の動作を示すフローチャートである。
【符号の説明】
【００３７】
１  センサ手段、２  制御手段、３  表示手段、５  ニオイセンサ、６  ダストセンサ、７  しきい値発生手段、８  しきい値切換手段、１１  ニオイランク判定手段、１２  煙ランク判定手段、１３  花粉ランク判定手段、１４  ニオイランク記憶手段、１５  煙ランク記憶手段、１６  花粉ランク記憶手段、１７  計時手段、１８  風量決定手段、１９  モータ駆動手段、２０  送風用モータ、２１  運転スイッチ、２２  ニオイランク表示手段、２３  煙ランク判定手段、２４  花粉ランク記憶手段。
【図１】
2005238063.tif 000003
【図２】
2005238063.tif 000004
【図３】
2005238063.tif 000005
【図４】
2005238063.tif 000006
【図５】
2005238063.tif 000007
【図６】
2005238063.tif 000008
【図７】
2005238063.tif 000009
【図８】
2005238063.tif 000010
【図９】
2005238063.tif 000011
【図１０】
2005238063.tif 000012
【図１１】
2005238063.tif 000013